(57)【要約】      （修正有）【課題】所望の書籍を検索するための条件を入力すること無しに簡易な操作により所望の書籍を見つけ出し、その書籍の書籍情報を確認することができる書籍情報管理装置を提供する。【解決手段】周面に映像表示可能な円筒形状のフレキシブルディスプレイ３Ａ〜３Ｃと、周方向に回転可能な円筒形状の透明筒状回転体２Ａ〜２Ｃと、前記フレキシブルディスプレイに表示された背表紙画像のうちの少なくとも１つを選択する上押ボタンスイッチ５Ａと、を備え、前記フレキシブルディスプレイと前記透明筒状回転体とは、それぞれの円心が同一軸になるよう配設されており、その回転量に応じて背表紙画像の表示位置を周方向に推移させ、前記上押ボタンスイッチ５Ａにより選択した背表紙画像を有する書籍の書籍情報を表示させる。【選択図】図１
2007072375.tif 000002
【特許請求の範囲】
【請求項１】
周面に映像表示可能な円筒形状の表示部と、
周方向に回転可能な円筒形状の回転操作部と、
前記回転操作部の回転量を検出する回転検出部と、
各種書籍毎の、少なくとも背表紙画像を含む書籍情報を記憶する記憶部と、
前記背表紙画像を含む前記書籍情報の表示を制御する制御部と、
前記表示部に表示された背表紙画像のうちの少なくとも１つを選択するための第１の選択部と、を備え、
前記表示部と前記回転操作部とは、それぞれの円心が同一軸になるよう配設されており、
前記制御部は、前記回転検出部により検出した回転量に応じて背表紙画像の表示位置を周方向に推移させ、前記第１の選択部により選択した背表紙画像を有する書籍の書籍情報を表示させる、書籍情報管理装置。
【請求項２】
請求項１記載の書籍情報管理装置であって、
複数の前記表示部と複数の前記回転操作部が、それぞれの円心が同一軸になるよう配設されており、
前記第１の選択部は、複数の前記表示部のうちのいずれか１つに表示された背表紙画像から選択し、
前記制御部は、前記回転検出部により検出した回転量に応じて、当該回転検出部に対応した前記表示部による前記背表紙画像の表示位置を周方向に推移させ、前記第１の選択部により選択した背表紙画像を有する書籍の書籍情報を、別の前記表示部に表示させる書籍情報管理装置。
【請求項３】
請求項１または２記載の書籍情報管理装置であって、
前記記憶部は、前記書籍情報として、各書籍と別の書籍とを対応付けたリファレンス情報を記憶し、
前記制御部は、前記第１の選択部により選択した背表紙画像を有する書籍に対応付けられた別の書籍の背表紙画像を表示させる書籍情報管理装置。
【請求項４】
請求項１から３のいずれか１項に記載の書籍情報管理装置であって、
前記記憶部は、前記書籍情報として、各書籍の本文内容を記憶し、
前記制御部は、前記第１の選択部により選択した背表紙画像を有する書籍の本文内容を表示させ、前記回転検出部により検出した回転量に応じて前記本文内容の表示位置を周方向に推移させる書籍情報管理装置。
【請求項５】
請求項４記載の書籍情報管理装置であって、
前記記憶部は、前記書籍情報として、各書籍の本文内容中のクリッピングされた箇所を記憶し、
前記制御部は、前記第１の選択部により選択した背表紙画像を有する書籍の本文内容であって、当該本文内容中のクリッピングされた箇所を表示させる書籍情報管理装置。
【請求項６】
請求項１から５のいずれか１項に記載の書籍情報管理装置であって、
前記記憶部に記憶させるための書籍情報を入力する入力部を備え、
前記制御部は、前記記憶部に記憶した背表紙画像データを、前記入力部から入力した書籍情報の入力順序に応じて表示させる書籍情報管理装置。
【請求項７】
請求項３記載の書籍情報管理装置であって、
前記第１の選択部は、前記表示部に表示された背表紙画像のうちの少なくとも２つを選択し、
前記制御部は、前記第１の選択部により選択した背表紙画像を有する書籍を対応付け、リファレンス情報として前記記憶部に記憶させる書籍情報管理装置。
【請求項８】
請求項５記載の書籍情報管理装置であって、
前記表示部に表示された書籍の本文内容のうちの少なくとも１部分を特定するための第２の選択部を備え、
前記制御部は、前記第２の選択部により特定した書籍の本文内容中の１部分を、クリッピングされた箇所として前記記憶部に記憶させる書籍情報管理装置。
【発明の詳細な説明】
【技術分野】
【０００１】
本発明は、予め登録した書籍のうちの所望の書籍の検索を装置利用者に簡易に行わせることができる書籍情報管理装置に関する。
【背景技術】
【０００２】
近年の書店、図書館等における書籍管理システムの１形態として、物流管理の効率化を目的として近年普及の進むＲＦＩＤシステム（例えば、特許文献１のＲＦＩＤシステム参照）を利用したものがある。この書籍管理システムでは、各書籍にＲＦＩＤタグを貼り付け、その書籍を収納する本棚に設置されたＲＦＩＤリーダによって各書籍のＲＦＩＤタグを読み出している。このシステムにより、所望の書籍の書籍情報（タイトル、著者名、出版元など）を検索キーワードとして当該システムに利用される端末に入力したシステム利用者は、書籍の在棚の有無、さらに本棚にあればその場所を確認することができる。
【０００３】
【特許文献１】特開２００３―１８７５２４
【発明の開示】
【発明が解決しようとする課題】
【０００４】
上述のＲＦＩＤシステムを利用した書籍管理システムでは、書籍情報により構築されたデータベースにアクセスして検索キーワードに該当する書籍情報を特定し、その書籍情報に対応付けられたＲＦＩＤタグが貼り付けられた書籍を検索する処理方法により、システム利用者による所望の書籍の検索を実現している。しかしながら、この書籍管理システムは検索キーワードとして適した書籍情報の入力をシステム利用者に要求するため、当該システムの利用に慣れていないシステム利用者はこの入力操作に手間をかけなければならず、また、限られた書籍情報についてしか知らないシステム利用者は、不適切な検索キーワードを入力してしまう可能性が高いため、当該システムの利用が困難なものになってしまう。
【０００５】
ところで、近年、半導体メモリに記憶した複数の書籍の電子データのうちの、所望の電子データを画面表示することにより、紙媒体の書籍ではなく、電子機器により読書ができるようにした電子ブック又は電子書籍が商品化されている。これらの電子機器は、紙媒体の書籍を電子媒体に置き換えたものであり、予め指定しておいた、当該機器により読書中の書籍の任意のページを所定の操作で表示させたりする等の、１冊の書籍に対する読書行為を支援する機能は有している。しかし、当該機器によりある書籍の読書中に、この書籍に関連のある別の書籍を当該機器に記憶されている書籍の中から検索したり、読書中の書籍と当該機器に記憶されている別の書籍との関連付けを行ったりする、等の複数の書籍に対して並行して行う必要のある読書行為を支援する機能は有していない。
【０００６】
本発明は、上記の事情に鑑みてなされたものであって、所望の書籍を検索するための条件を入力すること無しに簡易な操作により所望の書籍を見つけ出し、その書籍の書籍情報を確認することができる書籍情報管理装置を提供することを目的とする。
【０００７】
また、本発明は、書籍情報のうち、特に、ある書籍の任意のページを指定するクリッピング情報やある書籍に関連のある別の書籍（リファレンス）を簡単な操作で確認、検索することができ、また、ある書籍における指定されるべき任意のページの登録（クリッピング情報登録処理。以下、クリッピングと称する場合がある）やある書籍と関連のある別の書籍（リファレンス）の登録（リファレンス情報登録処理）を容易に行うことができる書籍情報管理装置を提供することを目的とする。
【課題を解決するための手段】
【０００８】
本発明の書籍情報管理装置は、周面に映像表示可能な円筒形状の表示部と、周方向に回転可能な円筒形状の回転操作部と、前記回転操作部の回転量を検出する回転検出部と、各種書籍毎の、少なくとも背表紙画像を含む書籍情報を記憶する記憶部と、前記背表紙画像を含む前記書籍情報の表示を制御する制御部と、前記表示部に表示された背表紙画像のうちの少なくとも１つを選択するための第１の選択部と、を備え、前記表示部と前記回転操作部とが、それぞれの円心が同一軸になるよう配設されており、前記制御部が、前記回転検出部により検出した回転量に応じて背表紙画像の表示位置を周方向に推移させ、前記第１の選択部により選択した背表紙画像を有する書籍の書籍情報を表示させる、ものである。
【０００９】
この構成によれば、所望の書籍を探索するという行為を人間が行うときに、その行為を行う環境として最も連想し易い本棚を模した本棚画像を表示部に表示することにより、書籍情報管理装置利用者が当該装置の利用に違和感を感じることを減ずることができ、また、回転操作部の回転量に応じて書籍の背表紙が書籍並び方向に推移する本棚画像から視覚的に所望の書籍を探索することができるため、多量の書籍の中から所望の書籍を簡単な操作で見つけ出すことができ、その結果、本棚画像から見つけ出した所望の書籍についての書籍情報（例えば、タイトル、目次、本文内容、著者名、出版元など）を簡易に確認することができる。
【００１０】
また、本発明の書籍情報管理装置は、複数の前記表示部と複数の前記回転操作部が、それぞれの円心が同一軸になるよう配設されており、前記第１の選択部が、複数の前記表示部のうちのいずれか１つに表示された背表紙画像から選択し、前記制御部が、前記回転検出部により検出した回転量に応じて、当該回転検出部に対応した前記表示部による前記背表紙画像の表示位置を周方向に推移させ、前記第１の選択部により選択した背表紙画像を有する書籍の書籍情報を、別の前記表示部に表示させるものを含む。
【００１１】
この構成によれば、所望の書籍を探索するための本棚画像と所望の書籍の書籍情報とを別々に表示することができるため、書籍情報管理装置利用者は、所望の書籍に関連する別の書籍の探索や所望の書籍における特定の項目やページの閲覧を効率的に行うことができる。
【００１２】
また、本発明の書籍情報管理装置は、前記記憶部が、前記書籍情報として、各書籍と別の書籍とを対応付けたリファレンス情報を記憶し、前記制御部が、前記第１の選択部により選択した背表紙画像を有する書籍に対応付けられた別の書籍の背表紙画像を表示させるものを含む。
【００１３】
この構成によれば、所望の書籍に関連のある別の書籍（リファレンス）の有無、およびその別の書籍の背表紙（タイトル）を、簡易に確認することができる。
【００１４】
また、本発明の書籍情報管理装置は、前記記憶部が、前記書籍情報として、各書籍の本文内容を記憶し、前記制御部が、前記第１の選択部により選択した背表紙画像を有する書籍の本文内容を表示させ、前記回転検出部により検出した回転量に応じて前記本文内容の表示位置を周方向に推移させるものを含む。
【００１５】
この構成によれば、所望の書籍の本文内容を、簡単な操作で閲覧することができる。
【００１６】
また、本発明の書籍情報管理装置は、前記記憶部が、前記書籍情報として、各書籍の本文内容中のクリッピングされた箇所を記憶し、前記制御部が、前記第１の選択部により選択した背表紙画像を有する書籍の本文内容であって、当該本文内容中のクリッピングされた箇所を表示させるものを含む。
【００１７】
この構成によれば、過去に読んだことがあり、その際に特定のページにクリッピングした書籍の本文内容を、再度閲覧する場合、そのクリッピングしたページを表示させることができるため、書籍情報管理装置利用者は、過去の読書経験を簡易に思い返すことができる。
【００１８】
また、本発明の書籍情報管理装置は、前記記憶部に記憶させるための書籍情報を入力する入力部を備え、前記制御部が、前記記憶部に記憶した背表紙画像データを、前記入力部から入力した書籍情報の入力順序に応じて表示させるものを含む。
【００１９】
この構成によれば、本棚画像中の背表紙画像の並び順を設定する手間を書籍情報管理装置利用者にかけさせることなく、書籍情報を入力することができる。
【００２０】
また、本発明の書籍情報管理装置は、前記第１の選択部が、前記表示部に表示された背表紙画像のうちの少なくとも２つを選択し、前記制御部が、前記第１の選択部により選択した背表紙画像を有する書籍を対応付け、リファレンス情報として前記記憶部に記憶させるものを含む。
【００２１】
この構成によれば、簡単な操作でリファレンス情報を登録することができる。特に、異なる表示部に表示させた本棚の複数書籍を対応付けたり、書籍情報表示中の書籍と別の表示部に表示中の本棚の書籍と対応付けたりするなど、リファレンス情報を登録する際には、複数の表示部に異なる情報を表示させることができる構成は効果的である。
【００２２】
また、本発明の書籍情報管理装置は、前記表示部に表示された書籍の本文内容のうちの少なくとも１部分を特定するための第２の選択部を備え、前記制御部が、前記第２の選択部により特定した書籍の本文内容中の１部分を、クリッピングされた箇所として前記記憶部に記憶させるものを含む。
【００２３】
この構成によれば、簡単な操作でクリッピングされた箇所を登録することができる。
【発明の効果】
【００２４】
本発明の書籍情報管理装置によれば、所望の書籍を検索するための条件を入力すること無しに簡易な操作により所望の書籍を見つけ出し、その書籍の書籍情報を確認することができる。また、本発明は、書籍情報のうち、特に、ある書籍のクリッピング情報やある書籍に関連のある別の書籍を簡単な操作で確認、検索することができ、また、読書中の書籍の本文中へのクリッピングや読書中の書籍と関連のある別の書籍の登録を容易に行うことができる。
【発明を実施するための最良の形態】
【００２５】
以下、本発明に係る書籍情報管理装置について、図面を用いて説明する。
【００２６】
本発明の実施形態では、ユーザ宅の本棚に並べて保管されたある書籍の読書を行う際に、その書籍が保管されている本棚中の箇所の確認、今回の読書以前に当該書籍の特定のページにクリッピングした箇所の検索、その書籍に関連のある別の書籍（リファレンス）の検索、及び、読書を行っている書籍本文におけるクリッピングすべきページの登録あるいはリファレンス登録すべき他の書籍の登録、を行うことができる書籍情報管理装置を例示する。
【００２７】
まず、本実施形態に係る書籍情報管理装置の機構的な構成について説明する。図１は、書籍情報管理装置の外観を示す斜視図であり、図２は書籍情報管理装置の構成を示す断面図である。また、図３は書籍情報管理装置の構成要素とその組立順序を示す図である。
【００２８】
図１において、書籍情報管理装置は片手で保持できる程度の大きさを有し、縦方向に３段に積層されて円周方向に回転可能に設計された透明円筒筐体２Ａ〜２Ｃの内部に、書籍情報を表示するための３つの表示画面３Ａ〜３Ｃを有するディスプレイを備えるとともに、透明円筒筐体２Ａ〜２Ｃの上下部に、押ボタンスイッチ兼ターゲットゾーン５Ａ、５Ｂを有する上下蓋体４Ａ、４Ｂを備える構成である。本図では、表示画面３Ａ、３Ｂは、ユーザが保有する書籍が背表紙を向けて配置されている背表紙画像を表示しており、書籍の並び順は、これらの書籍がユーザ宅の本棚に並んでいる順序と同一である。また、表示画面３Ｃは、表示画面３Ａ、３Ｂに表示された書籍のうち、選択された１つの書籍のタイトル、目次、本文内容などの書籍情報を表示することになる。表示画面３Ａ〜３Ｃに表示された書籍の背表紙画像及び書籍情報は、透明円筒筐体２Ａ〜２Ｃをそれぞれ独立して円周方向に回転させることにより、その回転量（例えば、回転角）に応じて円周方向にスクロールして表示することができる。なお、表示画面３Ａ、３Ｂに表示された書籍から１つの書籍を選択する際には、透明円筒筐体２Ａ、２Ｂをそれぞれ円周方向に回転させて所望の書籍がターゲットゾーン５Ａの直下に位置した時点で、押ボタンスイッチ５Ａを押すことによって、１つの書籍を選択する。
【００２９】
表示画面３Ａ、３Ｂに表示する表示内容が本棚を模している理由は、所望の書籍を探索するという行為を人間が行うとき、その行為を行う環境として最も連想し易いものが本棚から書籍を探索すると環境であり、このため、書籍情報管理装置利用者が当該装置の利用に違和感を感じることを減ずることができると考えられるためである。また、表示画面３Ａ、３Ｂに表示する背表紙の並び順が、ユーザ宅の本棚に並んでいる順序と同一である理由は、ユーザ自身の利用する本棚こそがユーザにとって最も目にする機会の多い本棚であることは当然であり、このような最も記憶に残っている並び順の書籍から所望の書籍を探索することが利用者にとって好ましい環境であるためである。
【００３０】
図２（ａ）、（ｂ）に示す側面図（（ａ）上下底面、（ｂ）周面）において、書籍情報管理装置は、縦方向に３段に構成された透明円筒筐体２Ａ〜２Ｃと、後述する透明円筒支持体１の上下部を被覆する上下蓋体４Ａ、４Ｂと、上下蓋体４Ａ、４Ｂに設けられた押ボタンスイッチ５Ａ、５Ｂを有する構成である。
【００３１】
また、図２（ｃ）、（ｄ）に示す断面図（（ｃ）底断面、（ｄ）側断面）において、書籍情報管理装置は、アクリル樹脂やポリカーボネート樹脂等によって成型される、所定の厚みを有する透明円筒支持体１と、この透明円筒支持体１の外周に回動可能に挿嵌されたアクリル樹脂やポリカーボネート樹脂等からなる透明円筒筐体２Ａ〜２Ｃと、透明円筒筐体２Ａ〜２Ｃの内周に密着して設けられた液晶や有機ＥＬ等からなるフレキシブルディスプレイ３と、透明円筒支持体１の上下開口部を覆う不透明のポリアセタール樹脂等からなる、フレキシブルディスプレイ３に表示される書籍情報を選択する押ボタンスイッチ兼ターゲットゾーン５Ａ、５Ｂを有する上下蓋体４Ａ、４Ｂと、透明円筒筐体２Ａ〜２Ｃの内周に当接したコロ及びコロの回転を検出するロータリエンコーダからなり、透明円筒筐体２Ａ〜２Ｃの回転を検出する円筒筐体回転検出器７Ａ〜７Ｃと、フレキシブルディスプレイ３の内側に収納された後述する制御回路８と、を備える構成である。なお、透明円筒支持体１及びフレキシブルディスプレイ３は、円筒筐体回転検出器７Ａ〜７Ｃを配設するスペースを確保するために、円周方向の一部を切り欠いた形状となっている。
【００３２】
図３は、書籍情報管理装置の組立順序を示す模式図であり、透明円筒支持体１に対してその内側にフレキシブルディスプレイ３を接着し、外周に透明円筒筐体２Ａ〜２Ｃを回動可能に挿嵌し、さらに、フレキシブルディスプレイ３の内側に制御回路８を収納するとともに、透明円筒支持体１の上下開口部を上下蓋体４Ａ、４Ｂで被覆する構造となっている。
【００３３】
次に、本実施形態に係る書籍情報管理装置の電気的な構成について説明する。図４は、書籍情報管理装置の電気的な概略構成を示すブロック図である。
【００３４】
図４において、書籍情報管理装置は、複数の背表紙画像からなる本棚画像や書籍情報を表示するためのフレキシブルディスプレイ３と、フレキシブルディスプレイ３に表示された本棚画像の中から特定の背表紙画像を選択するための押ボタンスイッチ５と、透明円筒筐体２Ａ〜２Ｃの回転を検出する円筒筐体回転検出器７と、インターネット経由の通信や外部電子機器との通信が可能な通信部９と、ＣＰＵ８１及びメモリ８２からなり、透明円筒筐体２Ａ〜２Ｃの回転に応じて円筒筐体回転検出器７から出力される信号と押ボタンスイッチ５の操作に基づいて、フレキシブルディスプレイ３に表示される本棚画像や書籍情報の表示を制御する制御回路８から構成される。
【００３５】
次に、以上のように構成された本実施形態の書籍情報管理装置の動作を制御回路の処理に沿って説明する。図５は、書籍情報管理装置による基本動作手順を説明するためのフローチャートである。
【００３６】
［書籍情報の取得から書籍情報の表示にかけての処理］
まず、ＲＦＩＤリーダが設置されたユーザ宅の本棚にＲＦＩＤタグのついた書籍を収納することにより、ＲＦＩＤリーダは複数冊の書籍それぞれに貼り付けられたＲＦＩＤタグから識別ＩＤ（書籍毎に割り当てられる識別情報。以下、蔵書データと称する）を所定の順序で読み出す（所定の順序の一例としては、本棚の書籍並び方向の一方向から、逐次ＲＦＩＤタグから蔵書データを読み出すことが考えられる。このような順序で蔵書データを読み取るＲＦＩＤリーダは、書籍並び方向に本棚を移動できるようになっており、最も電界強度の大きい応答波を返すＲＦＩＤタグの蔵書データを逐次読み出すように構成されている）。書籍情報管理装置の通信部９は、上述のＲＦＩＤリーダに接続されると、ＲＦＩＤリーダが読み取った順序で蔵書データを取得し、その蔵書データを制御回路８のメモリ８２に記憶する（ステップＳ１０１）。
【００３７】
なお、ここでは、書籍情報管理装置に簡易に蔵書データを登録するために、ＲＦＩＤリーダが読み取った蔵書データを制御回路８のメモリ８２に記録するようにしたが、別の形態も考えられる。すなわち、書籍情報管理装置利用者が、別の情報処理端末によって蔵書データを管理し、その端末上で蔵書データを利用者自身が利用する本棚の並び順に並び代えて、書籍表示装置に送出する形態である。この形態であれば、ＲＦＩＤリーダ、ＲＦＩＤタグからなるＲＦＩＤシステムを本棚に設置する必要も無いため、本発明の書籍情報管理装置を利用するための必要コストを抑制することができる。
また、書籍情報管理装置に蔵書データを登録するさらに別の形態としては、本発明の書籍情報管理装置上で、蔵書データを利用者自身が利用する本棚の並び順に並び替える形態も考えられる。この形態における操作の詳細は、ステップＳ１０５からＳ１０７の手順における蔵書データの選択、表示の際の１つの操作として、後述する。
【００３８】
制御回路８は、メモリ８２に蔵書データを記憶すると、通信部９により既存のデータベースから、この蔵書データに対応する背表紙画像情報を含む書籍情報（タイトル、著者名、出版元、本文内容など。本文内容は、文字情報であっても画像情報であっても構わない）をインターネット、ＬＡＮ、ＷＡＮなどの通信回線網を介して受信し、同様にメモリ８２に記憶する（ステップＳ１０２）。ユーザが利用する本棚には適宜新たな書籍が追加されることが考えられるため、ウェブサービスにより背表紙画像情報を取得することで、常に本棚の書籍の並び順を更新することができる。
【００３９】
次いで、制御回路８は、メモリ８２に記憶された背表紙画像情報を利用して、フレキシブルディスプレイ３上段の表示画面３Ａにユーザ宅の本棚に模した書籍の背表紙画像を表示する（ステップＳ１０３）。
【００４０】
ステップＳ１０３後、ユーザが、書籍情報管理装置を保持しながら上段の透明円筒筐体２Ａを回転させると、フレキシブルディスプレイ３上段の表示画面３Ａに表示された書籍の背表紙画像が円周方向にスクロールされ（ステップＳ１０４）、これによりユーザは自宅の本棚に並べられた書籍を閲覧することができる。図６は、書籍情報管理装置による背表紙画像の表示例である。制御回路８は、透明円筒筐体２Ａの回転角あるいは回転距離に応じて、表示画面３Ａに表示された書籍の背表紙画像を円周方向にスクロールするが、透明円筒筐体２Ａの回転量によって背表紙画像がどの程度スクロールするかは、予め書籍情報管理装置利用者が設定しておく方が好ましい。その設定の一例としては、透明円筒筐体２Ａと表示画面３Ａとの円周の長さにほとんど違いがなければ、透明円筒筐体２Ａの回転量と同じだけ背表紙画像がスクロールするようにしても良い。
【００４１】
ステップＳ１０４の手順における蔵書の閲覧の際に、フレキシブルディスプレイ３上段の表示画面３Ａにおいて、ユーザが目的とする書籍を見つけた場合、その書籍の背表紙画像をターゲットゾーン５Ａの直下に合わせて上押ボタンスイッチ５Ａを押下して確定する（ステップＳ１０５）。制御回路８は、上押ボタンスイッチ５Ａが押下された時点にターゲットゾーン５Ａ直下にあった背表紙画像を有する書籍を特定し（ステップＳ１０６）、その特定した書籍のタイトル、目次、本文内容や本文内容中のクリッピングされた頁、等からなる書籍情報をメモリ８２から読み出して、フレキシブルディスプレイ３中段及び下段の表示画面３Ｂ、３Ｃに表示させる（ステップＳ１０７）。図７に、表示画面３Ｂ、３Ｃに目的の書籍の目次を表示する表示例を示す。なお、ステップＳ１０７では、書籍の目次を表示するようにしたが、これに限定されるものではない。特に、当該書籍に関連のある別の書籍（リファレンス）の表示や、当該書籍におけるクリッピングしておいたページの表示については、後述する。
【００４２】
また、フレキシブルディスプレイ３上段の表示画面３Ａに表示される、蔵書データに対応する背表紙画像を並び替える操作としては、次のような操作が考えられる。すなわち、ステップＳ１０４の手順における蔵書の閲覧の際に、フレキシブルディスプレイ３上段の表示画面３Ａにおいて、ユーザが並び替えすべき書籍を見つけた場合、その書籍の背表紙画像をターゲットゾーン５Ａの直下に合わせて上押ボタンスイッチ５Ａを押下して確定する（ステップＳ１０５）。このとき、ユーザは、上押ボタンスイッチ５Ａを押下し続ける。制御回路８は、上押ボタンスイッチ５Ａが押下された時点にターゲットゾーン５Ａ直下にあった背表紙画像を有する書籍を特定する。その後、ユーザは、上押ボタンスイッチ５Ａを押下し続けながら、書籍情報管理装置の上段の透明円筒筐体２Ａを回転させて、背表紙画像を挿入すべき本棚の箇所直上にターゲットゾーン５Ａを合せ、上押ボタンスイッチ５Ａの押下を解放する。その後、制御回路８は、上押ボタンスイッチ５Ａの押下が解放された時点にターゲットゾーン５Ａ直下にあった箇所を特定し、その箇所にステップＳ１０５の処理により確定した背表紙画像を表示させる。
【００４３】
なお、この操作により、背表紙画像を挿入すべき本棚の箇所に別の背表紙画像が表示されていない場合においては、所望の背表紙画像を並び替えすることができるが、背表紙画像を挿入すべき本棚の箇所に別の背表紙画像が表示されている場合には、別の処理が必要になる。すなわち、背表紙画像を挿入すべき本棚の箇所に存在する別の背表紙画像の左隣あるいは右隣に、ステップＳ１０５の処理により確定した背表紙画像を表示させるようにする。
【００４４】
この書籍情報管理装置であれば、当該書籍情報管理装置のみで蔵書データを並び替えることができるため、他の装置を利用する必要はなく、必要コストを抑制することができる。
【００４５】
ステップＳ１０７の処理の後、ユーザが上段の透明円筒筐体２Ａを再度回転させると（ステップＳ１０８）、ステップＳ１０４に戻り、以降のステップを繰り返すことになる。また、ステップＳ１０７の処理の後、ユーザが上段の透明円筒筐体２Ａを回転させずに（ステップＳ１０８）、下押ボタンスイッチ５Ｂを２度連続して押下すると（ステップＳ１０９）、制御回路８は、フレキシブルディスプレイ３中段及び下段の表示画面３Ｂ、３Ｃに表示させた書籍情報を非表示にし（ステップＳ１１０）、ステップＳ１０４に戻り、以降のステップを繰り返すことになる。
【００４６】
［リファレンス情報表示処理、およびリファレンス情報登録処理］
ステップＳ１０４の手順における書籍の表示の際に、フレキシブルディスプレイ３上段の表示画面３Ａにおいて、制御回路８は、ターゲットゾーン５Ａの直下に入った背表紙画像の書籍について、予め登録しておいた、その書籍に関連する別の書籍（リファレンス）の背表紙画像をメモリ８２から読み出し、図８のリファレンス情報の表示例に示すように、フレキシブルディスプレイ３中段の表示画面３Ｂに表示させる。以下、図９に示す、書籍情報管理装置によるリファレンス情報を表示する動作手順を参照して、説明する。
【００４７】
制御回路８は、ステップＳ１０４の処理における書籍の背表紙画像を表示の際に、フレキシブルディスプレイ３上段の表示画面３Ａに表示された背表紙画像の中の、ターゲットゾーン５Ａ直下にある書籍を常に特定し続ける（ステップＳ２０１）。制御回路８は、この特定した書籍の書籍情報にリファレンス情報が含まれている場合（ステップＳ２０２）、そのリファレンス情報により特定される別の書籍の背表紙画像を、図８に示すように、フレキシブルディスプレイ３中段の表示画面３Ｂに表示させる（ステップＳ２０３）。フレキシブルディスプレイ３中段の表示画面３Ｂに表示させた書籍の背表紙画像もまた、中段の円筒筐体２Ｂを回転させることによって、背表紙画像をスクロールしながら表示させる（ステップＳ２０４）。また、ステップＳ２０３、２０４の処理後、ユーザが下押ボタンスイッチ５Ｂを２度連続して押下すると（ステップＳ２０５）、制御回路８は、フレキシブルディスプレイ３中段の表示画面３Ｂに表示させた背表紙画像を非表示にして（ステップＳ２０６）、ステップＳ１０５の処理に移行する。
【００４８】
なお、ステップＳ２０５の処理においてユーザが下押ボタンスイッチ５Ｂを２度連続して押下しない場合、フレキシブルディスプレイ３中段の表示画面３Ｂに背表紙画像させたまま、ステップＳ１０５の処理に移行しても良い。このとき、制御回路８は、ステップＳ１０６において、上押ボタンスイッチ５Ａが押下された時点にターゲットゾーン５Ａ直下にあった背表紙画像を有する書籍を特定すると、その特定した書籍のタイトル、目次、本文内容や本文内容中のクリッピングされた頁、等からなる書籍情報をメモリ８２から読み出して、ステップＳ２０３、２０４の処理で表示した書籍の背表紙画像をメモリ８２から読み出した書籍情報に切り替えて、フレキシブルディスプレイ３中段及び下段の表示画面３Ｂ、３Ｃに表示させる（ステップＳ１０７）。あるいは、ステップＳ２０３、２０４の処理で表示した書籍の背表紙画像をフレキシブルディスプレイ３中段の表示画面３Ｂに表示させたまま、メモリ８２から読み出した書籍情報をフレキシブルディスプレイ３下段の表示画面３Ｃに表示させるようにしても良い（ステップＳ１０７）。
【００４９】
なお、上述のリファレンス情報を表示する動作手順において、ステップＳ１０５の処理で上押ボタン押下した時に書籍のタイトル、目次、や本文内容等からなる書籍情報を、上押ボタンを押下していない時にはリファレンス情報を、それぞれ切り替えてフレキシブルディスプレイ３中段および下段の表示画面３Ｂ、３Ｃに表示させるようにしたが、上押ボタンの押下条件を逆にする構成も可能である。ただ、リファレンス情報よりもデータ容量の大きい本文内容等の書籍情報を表示する機会は極力抑えることが好ましいため、上押ボタンを押下した時に限定して本文内容等の書籍情報を表示することが好ましい。さらに、リファレンス情報を表示するための専用の押ボタンを設けたり、あるいはリファレンス情報を表示するための特異な操作方法（２度押や長押など）を設定することにより、その専用の押ボタン押下時あるいは特異な操作時にリファレンス情報を表示する構成としても構わない。
【００５０】
次に、本発明の書籍情報管理装置によるリファレンス情報を登録する処理について説明する。図１０に、本発明の書籍情報管理装置によるリファレンス情報を登録する動作手順を、図１１に、本発明の書籍情報管理装置によるリファレンス情報登録時の表示例を、それぞれ示す。
【００５１】
ステップＳ１０７の処理において、制御部８が書籍情報（図１１では、該当書籍の本文内容）をフレキシブルディスプレイ３中段及び下段の表示画面３Ｂ、３Ｃに表示させた後、ユーザがその表示された書籍情報の内容から該当書籍とフレキシブルディスプレイ３上段の表示画面３Ａに表示された別の書籍との関連を見出した場合、ユーザが下押ボタンスイッチ５Ｂを押下し、上段の透明円筒筐体２Ａを回転させて、表示画面３Ａに表示された別の書籍をターゲットゾーン５Ａの直下に位置するよう背表紙画像が円周方向にスクロールする。
【００５２】
制御回路８は、下押ボタンスイッチ５Ｂの押下を検出すると（ステップＳ２０７）、リファレンス情報登録処理を開始する。上段の透明円筒筐体２Ａの回転に応じて、フレキシブルディスプレイ３上段の表示画面３Ａに表示された本文内容をスクロールさせる（ステップＳ２０８）。フレキシブルディスプレイ３上段の表示画面３Ａにおいて、ユーザがその別の書籍の背表紙画像をターゲットゾーン５Ａの直下に合わせて上押ボタンスイッチ５Ａを押下して確定すると（ステップＳ２０９）、制御回路８は、上押ボタンスイッチ５Ａが押下された時点にターゲットゾーン５Ａ直下にあった背表紙画像を有する別の書籍を特定し（ステップＳ２１０）、その特定した別の書籍を表示画面３Ｂ、３Ｃに本文内容を表示中の書籍のリファレンス情報として登録し（ステップＳ２１１）、ステップＳ１０８の処理に移行する。
【００５３】
なお、ステップＳ２０７の処理において下押ボタンスイッチ５Ｂの押下をリファレンス情報登録処理開始のトリガとした理由は、書籍情報を表示するためのステップＳ１０４の処理における上段円筒筐体の回転と、リファレンス情報を登録するためのステップＳ２０８の処理における上段円筒筐体の回転と、を区別するためである。ステップＳ２０７の処理における操作は、下押ボタンスイッチ５Ｂの押下に限定されるものではなく、リファレンス情報登録処理を開始するための特異な操作方法を予め設定しておき、リファレンス情報登録処理開始時にその操作方法を実施するような構成でも構わない。
【００５４】
本発明の書籍情報管理装置によれば、各書籍毎のリファレンス情報を常に表示してユーザにその情報を確認させることができ、また、リファレンス情報の登録も表示画面に表示された背表紙画像を利用して視覚的に行うことができるため、ユーザにとって快適な操作性を有するユーザインタフェースを提供することができる。
【００５５】
［クリッピング情報表示処理、およびクリッピング情報登録処理］
制御回路８は、ステップＳ１０７で書籍情報をメモリ８２から読み出す際、過去にクリッピング（ある書籍における指定されるべき任意のページを登録する処理）した頁についてのクリッピング情報（ある書籍の任意のページを指定する情報）がその書籍情報に含まれていれば、そのクリッピング情報により指定されるページ番号も合せてフレキシブルディスプレイ３中段及び下段の表示画面３Ｂ、３Ｃに表示させる。図１２に、書籍の目次にクリッピング情報により指定されるページ番号を付加して表示する表示例を示す。図１２では、表示画面３Ｂ、３Ｃに目的の書籍の目次を表示し、その目次の項毎にクリッピングされたページ番号を示すアイコン３１を表示した状態を示している。以下、図１３に示す、書籍情報管理装置によるクリッピング情報を表示する動作手順を説明するためのフローチャートを参照して、説明する。
【００５６】
制御回路８は、ステップＳ１０７で書籍情報をメモリ８２から読み出す際、クリッピング情報がその書籍情報に含まれていれば（ステップＳ３０１）、フレキシブルディスプレイ３中段及び下段の表示画面３Ｂ、３Ｃに目次に対応させてページ番号を表示させる（ステップＳ３０２）。なお、図１２では、所定のページにおける本文内容を把握し易いよう、目次の項毎にページ番号を表すアイコンを表示するようにしたが、単に、ページ番号を表すアイコンのみを並べて表示するようにしても構わない。
【００５７】
制御回路８は、下段の円筒筐体２Ｃの回転に応じて、フレキシブルディスプレイ３中段及び下段の表示画面３Ｂ、３Ｃに表示された目次の表示箇所をスクロールさせる（ステップＳ３０３）。ステップＳ３０３の手順における閲覧の際に、フレキシブルディスプレイ３中段および下段の表示画面３Ｂ、３Ｃにおいて、ユーザが目的とするページ番号を見つけた場合、そのページ番号のアイコン３１をターゲットゾーン５Ｂの直上に合わせて下押ボタンスイッチ５Ｂを押下して確定する（ステップＳ３０４）。制御回路８は、下押ボタンスイッチ５Ｂが押下された時点にターゲットゾーン５Ｂ直上にあったページ番号のアイコン３１を特定し（ステップＳ３０５）、その特定したページ番号の本部内容をメモリ８２から読み出して、フレキシブルディスプレイ３中段及び下段の表示画面３Ｂ、３Ｃに表示させる（ステップＳ３０６）。その後、制御回路８は、ステップＳ１０８に移行することになる。なお、クリッピングされたページが複数ページに渡っている場合は、下段の円筒筐体２Ｃを回転させることによってページをスクロールしながら表示させる。
【００５８】
制御回路８は、ステップＳ３０１でクリッピング情報が書籍情報に含まれていない場合、あるいは、ステップＳ３０４でクリッピングされたページ番号を確定しない場合（確定しない場合の１例としては、下押ボタンスイッチ５Ｂが押下されないまま一定時間経過する場合などが考えられる）は、フレキシブルディスプレイ３下段の表示画面３Ｃに、ステップＳ１０６で選択した書籍の第１ページを表示し（ステップＳ３０７）、下段の円筒筐体２Ｃを回転させてページをスクロールしながら表示することになる（ステップＳ３０８）。
【００５９】
ステップＳ３０８の処理中に、フレキシブルディスプレイ３中段および下段の表示画面３Ｂ、３Ｃに表示されたページをユーザが読み進める過程で気に入ったページを見つけた場合、そのページを表示画面３Ｂ、３Ｃに表示させた状態で下押ボタンスイッチ５Ｂを押下する（ステップＳ３０９）。制御回路８は、ページスクロール中における下押ボタンスイッチ５Ｂの押下を検出すると、フレキシブルディスプレイ３中段及び下段の表示画面３Ｂ、３Ｃに表示中のページを、表示中の書籍のクリッピング情報として登録する（ステップＳ３１０）。その後、制御回路８は、ステップＳ１０８に移行することになる。
【００６０】
なお、制御回路８は、ステップＳ３０６の処理で特定のページ番号の本文内容を表示後、そのページ番号をスクロールの開始ページとして、下段の円筒筐体２Ｃの回転に応じてページをスクロールしながら表示させ、ステップＳ３０９、ステップＳ３１０の処理を行うようにしても良い。
【００６１】
本発明の書籍情報管理装置によれば、ユーザによって選択された書籍のクリッピング情報を表示してユーザにその情報を確認させることができ、また、クリッピング情報を基に所定のページを閲覧する操作やクリッピング情報の登録操作も、表示画面に表示されたページ番号を示すアイコンや書籍の本文内容を利用して視覚的に行うことができるため、ユーザにとって快適な操作性を有するユーザインタフェースを提供することができる。
【００６２】
以上説明したように、このような本発明の実施形態に係る書籍情報管理装置によれば、透明円筒状支持体１の外周で回動可能に積層して挿嵌された３段の透明筒状回転体２Ａ、２Ｂ、２Ｃを設けるとともに、透明円筒状支持体１の内面に透明筒状回転体２Ａ、２Ｂ、２Ｃに対応した表示画面３Ａ、３Ｂ、３Ｃを有するフレキシブルディスプレイ３を密着して挿嵌する。そして、フレキシブルディスプレイ３の内側に収納された制御回路８の制御の基に、フレキシブルディスプレイ３の表示画面にユーザ宅の本棚を擬した書籍の背表紙画像、書籍のタイトルや目次、及びページを表示させ、透明筒状回転体２Ａ、２Ｂ、２Ｃをそれぞれ独立して回転させて表示画面３Ａ、３Ｂ、３Ｃの表示情報をスクロールし、透明円筒状支持体１の上下を覆う蓋体に設けた上下押ボタンスイッチ５Ａ、５Ｂを操作する。
【００６３】
これにより、本発明の実施形態の書籍情報管理装置は、ユーザ宅の本棚に並べて保管されたある書籍の読書を行う際に、その書籍が保管されている本棚中の箇所の確認、今回の読書以前に当該書籍の特定のページにクリッピングした箇所の検索、その書籍に関連のある別の書籍の検索、及び、読書を行っている書籍本文におけるクリッピングすべき箇所の登録あるいはリファレンス登録すべき他の書籍の登録、を簡単に行うことができる。
【００６４】
なお、本発明の実施形態の書籍管理装置により取得あるいは登録した書籍情報を別の機器に送出し、その送出された書籍情報を受けた機器にその書籍情報を基に何らかの処理を実行させる、という用途も考えられる。この機器の一例としては、書籍を並び替える機構・機能を備えた本棚が考えられ、この本棚は、本発明の書籍管理装置に記憶されている書籍情報に対応する書籍が少なくとも並べられており、当該書籍管理装置から書籍情報を受信することにより、その書籍情報の入力順序に応じて書籍を並び替える、ものなどが考えられる。ここでは、上述の機器の一例として、書籍を並び替える機構・機能を備えた本棚について述べたが、この機器の他例には、書籍とその書籍情報とを扱う機器全般が適用範囲に含まれる。
【産業上の利用可能性】
【００６５】
本発明の書籍情報管理装置は、所望の書籍を検索するための条件を入力すること無しに簡易な操作により所望の書籍を見つけ出し、その書籍の書籍情報を確認することができるという効果を奏し、特定の書籍を検索する電子機器および検索システムの分野や、読書行為を支援する技術分野において有用である。
【図面の簡単な説明】
【００６６】
【図１】本発明の実施形態に係る書籍情報管理装置の外観を示す斜視図
【図２】（ａ）本発明の実施形態に係る書籍情報管理装置の構成を示す平面図  （ｂ）本発明の実施形態に係る書籍情報管理装置の構成を示す正面図  （ｃ）本発明の実施形態に係る書籍情報管理装置の構成を示す横断面図  （ｄ）本発明の実施形態に係る書籍情報管理装置の構成を示す縦断面図
【図３】本発明の実施形態に係る書籍情報管理装置の組立順序を示す模式図
【図４】本発明の実施形態に係る書籍情報管理装置の電気的な概略構成を示すブロック図
【図５】本発明の実施形態に係る書籍情報管理装置による基本動作手順を説明するためのフローチャート
【図６】本発明の実施形態に係る書籍情報管理装置による背表紙画像の表示例
【図７】本発明の実施形態に係る書籍情報管理装置による書籍情報（目次）の表示例
【図８】本発明の実施形態に係る書籍情報管理装置によるリファレンス情報の表示例
【図９】本発明の実施形態に係る書籍情報管理装置において、リファレンス情報を表示する動作手順を表すフローチャート
【図１０】本発明の実施形態に係る書籍情報管理装置において、リファレンス情報を登録する動作手順を表すフローチャート
【図１１】本発明の実施形態に係る書籍情報管理装置によるリファレンス情報登録時の表示例
【図１２】本発明の実施形態に係る書籍情報管理装置によりクリッピング情報の表示例
【図１３】本発明の実施形態に係る書籍情報管理装置において、クリッピング情報を表示、登録する動作手順を表すフローチャート
【符号の説明】
【００６７】
１  透明円筒支持体
２Ａ〜２Ｃ  透明円筒筐体
３Ａ〜３Ｃ  フレキシブルディスプレイ
４Ａ、４Ｂ  上蓋体、下蓋体
５Ａ、５Ｂ  上押ボタンスイッチ、下押ボタンスイッチ
７  円筒筐体回転検出器
８  制御回路
８１  ＣＰＵ
８２  メモリ
９  通信部
【図１】
2007072375.tif 000003
【図２】
2007072375.tif 000004
【図３】
2007072375.tif 000005
【図４】
2007072375.tif 000006
【図５】
2007072375.tif 000007
【図６】
2007072375.tif 000008
【図７】
2007072375.tif 000009
【図８】
2007072375.tif 000010
【図９】
2007072375.tif 000011
【図１０】
2007072375.tif 000012
【図１１】
2007072375.tif 000013
【図１２】
2007072375.tif 000014
【図１３】
2007072375.tif 000015